(57)【要約】【課題】低コストで、表示すべきメディア保管部とその状態を的確に表示して、ユーザが装置の状況を容易に把握することのできるメディア処理装置及びその制御方法を提供する。【解決手段】メディア処理装置１は、ＣＤ，ＤＶＤ等のメディアを保管する複数個のスタッカ２１，２２，５２，６と、メディアにデータの書き込みを行うメディアドライブ５１と、メディアのレーベル面に印刷を行うレーベルプリンタ１１と、メディアを把持してメディア保管部２１，２２，５２，６、メディアドライブ５１、レーベルプリンタ１１に搬送可能なメディア搬送機構３１とを有し、操作パネル５には、各スタッカ２１，２２，５２，６の配置を示す模式図５ａが表示されているとともに、模式図５ａにおける各メディア保管部に対応してスタッカ表示灯Ｌ１〜Ｌ４が設けられ、スタッカ表示灯Ｌ１〜Ｌ４の発光パターンによって各スタッカの状態が表示される。【選択図】図２
2008103032.tif 000002
【特許請求の範囲】
【請求項１】
円板状のメディアを保管する複数のメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、装置の外面に配置された操作パネルと、を有するメディア処理装置であって、
前記操作パネルには、複数の前記メディア保管部の配置を示す配置画像が表示されているとともに、前記配置画像における各メディア保管部に対応して保管部表示用発光部が設けられ、
前記保管部表示用発光部の発光パターンによって各前記メディア保管部の状態が表示されることを特徴とするメディア処理装置。
【請求項２】
請求項１に記載のメディア処理装置であって、
前記操作パネルには、前記配置画像の各メディア保管部に対応して、各前記メディア保管部を識別するための記号が表示されていることを特徴とするメディア処理装置。
【請求項３】
請求項１または２に記載のメディア処理装置であって、
前記保管部表示用発光部は、ＬＥＤにより発光することを特徴とするメディア処理装置。
【請求項４】
請求項１から３の何れか一項に記載のメディア処理装置であって、
前記操作パネルには、誤作動状態を示すエラー表示用発光部が設けられていることを特徴とするメディア処理装置。
【請求項５】
請求項４に記載のメディア処理装置であって、
前記エラー表示用発光部は、ＬＥＤにより発光することを特徴とするメディア処理装置。
【請求項６】
円板状のメディアを保管する複数のメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、装置の外面に配置された操作パネルと、を有するメディア処理装置の制御方法であって、
前記操作パネルには、複数の前記メディア保管部の配置を示す配置画像が表示されているとともに、前記配置画像における各メディア保管部に対応して保管部表示用発光部が設けられ、
前記保管部表示用発光部の発光パターンによって各前記メディア保管部の状態を表示することを特徴とするメディア処理装置の制御方法。
【請求項７】
請求項６に記載のメディア処理装置の制御方法であって、
前記操作パネルには、誤作動状態を示すエラー表示用発光部が設けられており、
前記保管部表示用発光部と前記エラー表示用発光部の発光パターンの組み合わせによって各前記メディア保管部の状態を表示することを特徴とするメディア処理装置の制御方法。
【請求項８】
請求項６または７に記載のメディア処理装置の制御方法であって、
メディアの処理履歴に基づいて、処理済みのメディアを蓄積するメディア保管部のメディア蓄積量を監視し、当該メディア保管部におけるメディアフル状態となったと判断したら、対応する前記保管部表示用発光部を発光させることを特徴とするメディア処理装置の制御方法。
【請求項９】
請求項６から８の何れか一項に記載のメディア処理装置の制御方法であって、
前記メディア保管部に未処理のメディアを供給したイニシャライズ時のメディアフル状態は、誤作動状態とは判断せず前記保管部表示用発光部を発光させないことを特徴とするメディア処理装置の制御方法。
【発明の詳細な説明】
【技術分野】
【０００１】
本発明は、ＣＤやＤＶＤ等の円板状のメディアにデータを書き込み、レーベル面に印刷を行って所望のメディアを提供することができるメディア処理装置及びその制御方法に関するものである。
【背景技術】
【０００２】
従来、ＣＤやＤＶＤ等の円板状のメディアに対してデータの書き込みやレーベル印刷を行うメディア処理装置では、一般にブランクメディアスタッカに収納されているブランクメディアを、内蔵のメディアドライブに供給して所定のデータを書き込み、書き込み後のメディアにレーベルプリンタによりレーベル印刷を行って、メディアスタッカに保管したり、装置から取り出したりするように構成されている。
【０００３】
このようなメディア処理装置では、メディアドライブやレーベル印刷を行うレーベルプリンタ等を内包するケースを備えており、外部からの振動や埃等から内部機器を保護している。（例えば、非特許文献１，２参照）。
【０００４】
【非特許文献１】ＰＲＩＭＥＲＡ製品紹介ホームページ（http;//www.bbtus.com//bbtjp/hardware/primera.html）
【非特許文献２】ＴＥＡＣ製品紹介ホームページ（http;//www.tsc.teac.co.jp/02products/sys/wp45b/index.html）
【発明の開示】
【発明が解決しようとする課題】
【０００５】
ところで、ブランクメディア等を収容している複数個のメディアスタッカ（メディア保管部）は、ケース内に設けられており、通常、外部からは詳細な状態を視認することが困難である。このため、メディア処理装置のステータスをホストコンピュータに送信し、ホストコンピュータの画面に各スタッカの状態を表示することで、ユーザがメディア処理装置内の状況を知ることができるようになっている。
しかしながら、ホストコンピュータの画面とメディア処理装置とは、物理的に離れた場所に設置されていることが一般的であるため、メディア処理装置で作業しているユーザにはホストコンピュータの画面が見づらく、状況を把握しにくいという不都合があった。
【０００６】
また、メディア処理装置に液晶画面（ＬＣＤ）を設けてメディア処理装置の状況を直接表示することも行われているが、ＬＣＤに必要な情報を表示しようとすると大画面にせざるを得ないため、コストが高くなってしまう。一方、ＬＣＤを小さくすると、一度に表示できる情報が少ないため、例えば、表示すべき該当スタッカの表示と、その状態とを同時に表示することができず、状況を把握しにくい。
【０００７】
そこで、本発明の目的は、低コストで、表示すべきメディア保管部とその状態を的確に表示して、ユーザが装置の状況を容易に把握することのできるメディア処理装置及びその制御方法を提供することにある。
【課題を解決するための手段】
【０００８】
上記課題を解決することのできる本発明に係るメディア処理装置は、円板状のメディアを保管する複数のメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、装置の外面に配置された操作パネルと、を有するメディア処理装置であって、前記操作パネルには、複数の前記メディア保管部の配置を示す配置画像が表示されているとともに、前記配置画像における各メディア保管部に対応して保管部表示用発光部が設けられ、前記保管部表示用発光部の発光パターンによって各前記メディア保管部の状態が表示されることを特徴とする。
【０００９】
このように構成されたメディア処理装置においては、例えば何れかのメディア保管部に保管されているＣＤ等の処理前のメディアをメディア搬送機構により把持し、上側から取り出してメディアドライブに供給し、データの書き込みを行う。また、メディア搬送機構は、データを書き込んだメディアをレーベルプリンタに搬送し、レーベルプリンタによりレーベル印刷を行う。データの書き込み及びレーベル印刷が行われた処理済のメディアは、メディア搬送機構により何れかのメディア保管部に搬送されて蓄積される。
装置の外面に配置された操作パネルには、複数のメディア保管部の配置を示す配置画像が表示されているとともに、配置画像における各メディア保管部に対応して保管部表示用発光部が設けられているため、上記のような処理に応じて搬送されるメディアが各メディア保管部で空（メディアエンプティ）になったり規定量まで蓄積（メディアフル）されたりしたとき等に、該当するメディア保管部に対応した保管部表示用発光部を所定の発光パターンで発光させて、各メディア保管部の状態を表示することができる。そのため、ユーザは配置画像及び発光した保管部表示用発光部によって対処すべきメディア保管部を容易に視認することができる。そして、発光パターンによりスタッカの状態が表示されるため、メディア保管部の各種の状態を、簡単な発光部によって表示することができる。したがって、メディア保管部の状況を表示する手段を低コストで実現でき、表示すべきメディア保管部とその状態を的確に表示して、ユーザが装置の状況を容易に把握することができる。また、装置から数メートル離れた場所からでも、装置の状況を把握することができる。
【００１０】
また、本発明に係るメディア処理装置において、前記操作パネルには、前記配置画像の各メディア保管部に対応して、各前記メディア保管部を識別するための記号が表示されていることが好ましい。
【００１１】
このように構成されたメディア処理装置においては、各メディア保管部の位置だけでなく、メディア保管部に対応した記号によっても各メディア保管部を識別することができる。なお、用いられる記号としては、数字（１，２，３，４等の番号）、文字（Ａ，Ｂ，Ｃ，Ｄ等）などが適している。
【００１２】
また、本発明に係るメディア処理装置において、前記保管部表示用発光部は、ＬＥＤにより発光することが好ましい。
【００１３】
このように構成されたメディア処理装置においては、保管部表示用発光部をＬＥＤ（Light Emitting Diode）により発光させるため、保管部表示用発光部の消費電力を低減することができる。
【００１４】
また、本発明に係るメディア処理装置において、前記操作パネルには、誤作動状態を示すエラー表示用発光部が設けられていることが好ましい。
【００１５】
このように構成されたメディア処理装置においては、メディア保管部に対応して設けられている保管部表示用発光部と誤作動状態であることを表示するエラー表示用発光部とを有するため、これらの発光パターンを組み合わせて各種の状態を簡易な構成で容易に表示することができる。
【００１６】
また、本発明に係るメディア処理装置において、前記エラー表示用発光部は、ＬＥＤにより発光することが好ましい。
【００１７】
このように構成されたメディア処理装置においては、エラー表示用発光部をＬＥＤにより発光させるため、エラー表示用発光部の消費電力を低減することができる。
【００１８】
また、上記課題を解決することのできる本発明に係るメディア処理装置の制御方法は、円板状のメディアを保管する複数のメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、装置の外面に配置された操作パネルと、を有するメディア処理装置の制御方法であって、前記操作パネルには、複数の前記メディア保管部の配置を示す配置画像が表示されているとともに、前記配置画像における各メディア保管部に対応して保管部表示用発光部が設けられ、前記保管部表示用発光部の発光パターンによって各前記メディア保管部の状態を表示することを特徴とする。
【００１９】
このように構成されたメディア処理装置の制御方法においては、例えば何れかのメディア保管部に保管されているＣＤ等の処理前のメディアをメディア搬送機構により把持し、上側から取り出してメディアドライブに供給し、データの書き込みを行う。また、メディア搬送機構は、データを書き込んだメディアをレーベルプリンタに搬送し、レーベルプリンタによりレーベル印刷を行う。データの書き込み及びレーベル印刷が行われた処理済のメディアは、メディア搬送機構により何れかのメディア保管部に搬送されて蓄積される。
装置の外面に配置された操作パネルには、複数のメディア保管部の配置を示す配置画像が表示されているとともに、配置画像における各メディア保管部に対応して保管部表示用発光部が設けられているため、上記のような処理に応じて搬送されるメディアが各メディア保管部で空（メディアエンプティ）になったり規定量まで蓄積（メディアフル）されたりしたとき等に、該当するメディア保管部に対応した保管部表示用発光部を所定の発光パターンで発光させて、各メディア保管部の状態を表示することができる。そのため、ユーザは配置画像及び発光した保管部表示用発光部によって対処すべきメディア保管部を容易に視認することができる。そして、発光パターンによりスタッカの状態が表示されるため、メディア保管部の各種の状態を、簡単な発光部によって表示することができる。したがって、メディア保管部の状況を表示する手段を低コストで実現でき、表示すべきメディア保管部とその状態を的確に表示して、ユーザが装置の状況を容易に把握することができる。また、装置から数メートル離れた場所からでも、装置の状況を把握することができる。
【００２０】
また、本発明に係るメディア処理装置の制御方法において、前記操作パネルには、誤作動状態を示すエラー表示用発光部が設けられており、前記保管部表示用発光部と前記エラー表示用発光部の発光パターンの組み合わせによって各前記メディア保管部の状態を表示することが好ましい。
【００２１】
このように構成されたメディア処理装置の制御方法においては、保管部表示用発光部とエラー表示用発光部の発光パターンの組み合わせにより、各メディア保管部の各種の状態を容易に表示することができる。
【００２２】
また、本発明に係るメディア処理装置の制御方法において、メディアの処理履歴に基づいて、処理済みのメディアを蓄積するメディア保管部のメディア蓄積量を監視し、当該メディア保管部におけるメディアフル状態となったと判断したら、対応する前記保管部表示用発光部を発光させることが好ましい。
【００２３】
このように構成されたメディア処理装置の制御方法においては、メディア蓄積量を直接測定せずにメディアフル状態を検出してユーザに知らせることができる。
【００２４】
また、本発明に係るメディア処理装置の制御方法において、前記メディア保管部に未処理のメディアを供給したイニシャライズ時のメディアフル状態は、誤作動状態とは判断せず前記保管部表示用発光部を発光させないことが好ましい。
【００２５】
このように構成されたメディア処理装置の制御方法においては、何れかのメディア保管部に収容されているメディアの量が所定量以下となって、ユーザがメディアを供給した場合は、その結果メディア保管部がフルの状態となるのが一般的である。したがって、このようなイニシャライズ時は、メディアフルの状態を検出してもこれを誤作動状態とは判断せず保管部表示用発光部を発光させないようにすべきである。
【発明を実施するための最良の形態】
【００２６】
以下、本発明に係るメディア処理装置及びその制御方法の実施形態の例を、図面に基づいて説明する。
図１はメディア処理装置の外観斜視図、図２は操作パネルの拡大図、図３はメディア処理装置のケースを外した状態の前方側の斜視図、図４はメディア処理装置のケースを外した状態の後方側の斜視図、図５はメディア処理装置に設置されたレーベルプリンタ部分の斜視図、図６はメディア処理装置の内部概略構成図、図７は発光部の表示とスタッカの状態との関係の一例を示す表である。
【００２７】
まず、本実施形態のメディア処理装置の全体構成について説明する。
図１に示すように、メディア処理装置１は、ＣＤやＤＶＤ等の円板状のメディアヘのデータの書き込みやメディアのレーベル面への印刷を行うメディア処理装置（ディスクパブリッシャ）であり、ほぼ直方体形状のケース２を備えている。このケース２の前面には、左右に開閉可能な開閉扉３,４が取り付けられている。ケース２の上側右端部には、表示ランプ、操作ボタンなどが配列された操作パネル５が設けられており、また、ケース２の下端には、メディア保管部としてのメディア排出口６が設けられている。なお、開閉扉３,４部分等のケース２の前面には、透光性を有する窓部３ａが設けられており、これにより、メディア処理装置１の外側から内側の状況を視認することが可能である。
【００２８】
正面視右側の開閉扉３は、閉じた状態にてロックされており、操作パネル５には、例えば、指紋センサなどの図示せぬ生体認証用の読み取り部が配置され、予め登録されている者のみが開閉できるようになっている。また、開閉扉３は、メディア処理装置１と通信可能に接続された後述する上位機器９７側(図６参照)からの指令によっても開閉可能となっている。
また、正面視左側の開閉扉４は、レーベルプリンタ１１のインクカートリッジ１２の入れ換え時に開閉するためのものであり、この開閉扉４を開けると、鉛直方向に配列された複数のカートリッジホルダ１３を有するカートリッジ装着部１４（図３参照）が露出するようになっている。
【００２９】
図３〜図５に示すように、メディア処理装置１のケース２の内部には、ＣＤ，ＤＶＤ等のメディアを保管する複数個のスタッカ２１，２２，５２，６と、メディアにデータの書き込みを行うメディアドライブ５１と、メディアのレーベル面に印刷を行うレーベルプリンタ１１と、メディアを把持してメディア保管部２１，２２，５２，６、メディアドライブ５１、レーベルプリンタ１１に搬送可能なメディア搬送機構３１とを有している。
【００３０】
図１及び図２に示すように、前記各部を内包するケース２の前面には操作パネル５が設けられている。この操作パネル５には、少なくとも複数個のスタッカ２１，２２，５２，６の配置を模式的に表示した配置画像と、各スタッカに対応した発光部を設け、発光部の発光パターン（消灯，点滅，点灯）によって各スタッカの状態を表示するものである。例えば、ブランクメディア保管部２１を第１のスタッカ、作成済みメディア保管部２２を第２のスタッカ、廃棄用スタッカ５２を第３のスタッカ、メディア排出口６を第４のスタッカとする。操作パネル５には、４つのスタッカの配置画像である模式図５ａを表示し、模式図５ａ内には各スタッカを示す数字（記号）１〜４を示すとともに、各スタッカの近傍あるいは内部に保管部表示用発光部であるスタッカ表示灯Ｌ１，Ｌ２，Ｌ３，Ｌ４が設けられている。なお、模式図５ａは、４つのスタッカの配置が斜視図のように描画されており、ユーザが配置を認識しやすいようになっている。また、配置画像には模式図の代わりに写真を用いても良い。
【００３１】
また、操作パネル５には、誤作動状態を示すエラー表示用発光部であるエラー表示灯ＬＥや、電源表示灯ＬＰ、ビジー表示灯ＬＢも設けられている。さらに、レーベルプリンタ１１で用いられる各色のインクカートリッジ１２に対応したインク表示灯ＬＩを設けて、インクの残量が少なくなった場合や、無くなった場合等が表示されるようになっている。
【００３２】
これにより、どのスタッカがどのような状態にあるのかを、各発光部の発光パターンの組み合わせにより簡易な構成で容易に表示することができる。
なお、スタッカ表示灯Ｌ１，Ｌ２，Ｌ３，Ｌ４及びエラー表示灯ＬＥは、ＬＥＤにより発光される。これにより、各発光部の消費電力を低減して省エネを図ることができる。
【００３３】
次に、メディア保管部について説明する。ここでは、前述したように、４個のスタッカを有する場合について説明する。
図３に示すように、メディア処理装置１のケース２の内部には、データ書き込み処理が行われていない複数枚の未使用のブランクメディアＭＡをスタック可能な第１のメディアスタッカとしてのブランクメディア保管部２１と、作成済みメディアＭＢが保管される第２のメディアスタッカとしての作成済みメディア保管部２２が同軸状態で上下に配置されている。なお、この作成済みメディア保管部２２には、使用済みメディアＭＣを処分する場合に、この使用済みメディアＭＣがセットされる。
【００３４】
ブランクメディア保管部２１は、前方に水平に引き出し可能なスライド板２３と、このスライド板２３の上に垂直に配置されている左右一対の円弧状の枠板２４,２５とを備えており、これらにより、ブランクメディアＭＡを上側から受け入れ、同軸に積層した状態で収納可能なスタッカが構成されている。ブランクメディア保管部２１にブランクメディアＭＡを収納あるいは補充する作業は、開閉扉３を開け、スライド板２３を手前に引き出すことにより、簡単に行うことが可能となっている。
【００３５】
下側の作成済みメディア保管部２２も同一構造となっており、前方に水平に引き出し可能なスライド板２６と、この上面に垂直に配置されている左右一対の円弧状の枠板２７,２８とを備えており、これらによって、作成済みメディアＭＢあるいは使用済みメディアＭＣを上側から受け入れ、同軸に積層した状態で収納可能なスタッカが構成されている。
【００３６】
使用済みメディアＭＣを処分する場合には、開閉扉３を開けて、作成済みメディア保管部２２に、使用済みメディアＭＣをセットして処分動作を行うことが可能となっている。また、開閉扉３からは、作成済みメディアＭＢ(すなわち、データの書き込み、及びレーベル面印刷が終了したメディア)を取り出すこともできる。
【００３７】
なお、作成済みメディア保管部２２のメディアスタッカを、ブランクメディア保管部として使用することもできる。その場合、作成済みメディアはメディア排出口６に排出すればよい。
【００３８】
また、後述するレーベルプリンタ１１のメディアトレイ１５のメディア受け渡し位置の下方には、例えば廃棄用メディアＭＤや作成済みメディアを一時的に保管するための第３のメディアスタッカ部としての廃棄用スタッカ５２が配置されており、この廃棄用スタッカ５２には、例えば３０枚程度の廃棄用メディアＭＤ等が保管可能とされている。メディアトレイ１５が廃棄用スタッカ５２の上方のメディア受け渡し位置からデータ書き込み位置へ退避した状態（図３及び図４に示す状態）にて、後述するメディア搬送機構３１の搬送アーム３６により、廃棄用メディアＭＤ等を廃棄用スタッカ５２に供給可能となっている。
【００３９】
また、ケース２の前面の中央部下端には、第４のメディアスタッカ部としてのメディア排出口６が設けられている。このメディア排出口６の前方は、ケース２の外部に開口しており、メディア搬送機構３１によって搬送されたメディアが外部へ滑り出てメディア排出口６内に蓄積されるようになっている。このため、ユーザは、メディア排出口６からメディアを容易に取り出すことができる。
【００４０】
図３及び図４に示すように、メディアを各部に搬送するメディア搬送機構３１は、ブランクメディア保管部２１及び作成済みメディア保管部２２の後側に設けられている。メディア搬送機構３１は、メディア処理装置１のベース７２に垂直に取り付けられているシャーシ３２と、このシャーシ３２の上下の水平支持板部３３,３４の間に垂直に架け渡されている垂直ガイド軸３５とを有している。この垂直ガイド軸３５に搬送アーム３６が昇降および旋回可能な状態で支持されている。搬送アーム３６は、昇降用モータ３７によって垂直ガイド軸３５に沿って昇降可能であるとともに、旋回用モータ（図示省略）によって垂直ガイド軸３５を中心に左右に旋回可能である。搬送アーム３６の下面には、先端にグリッピング機構（図示省略）が設けられていて、メディアの搬送の際にはメディアの中心孔を把持するようになっている。
【００４１】
図３及び図４に示すように、メディア搬送機構３１の後側にはメディアドライブ５１が設けられており、このメディアドライブ５１の下側にはレーベルプリンタ１１が配置されている。メディア搬送機構３１の搬送アーム３６の旋回移動及び上下移動により、メディアをブランクメディア保管部２１、作成済みメディア保管部２２、廃棄用スタッカ５２、メディアドライブ５１のメディアトレイ５１ａ及びレーベルプリンタ１１のメディアトレイ１５の間で搬送可能となっている。
【００４２】
なお、ブランクメディア保管部２１の左右一対の枠板２４,２５の間及び作成済みメデイア保管部２２の左右一対の枠板２７,２８の間には、メデイア搬送機構３１の搬送アーム３６が昇降可能な隙間が形成されている。また、これらブランクメディア保管部２１と作成済みメディア保管部２２との間には、メディア搬送機構３１の搬送アーム３６が水平に旋回して、作成済みメディア保管部２２の真上に位置できるように隙間が開いている。さらに、メディアトレイ５１ａをメディアドライブ５１に押し込むと、メディア搬送機構３１の搬送アーム３６を下降させて、レーベルプリンタ１１のメディア受け渡し位置にあるメディアトレイ１５にアクセス可能となっている。したがって、搬送アーム３６の昇降及び左右への旋回の組み合わせ動作によって、メディアを各部に搬送することが可能とされている。
【００４３】
図３及び図４に示すように、メディアドライブ５１は、上下２段に設けられている。各メディアドライブ５１は、メディアヘのデータ書き込み位置とメディアの受け取り及び受け渡しを行うメディア受け渡し位置との間を移動可能なメディアトレイ５１ａをそれぞれ有している。図３及び図４では、上側のメディアドライブ５１のメディアトレイ５１ａが手前に引き出されてメディア受け渡し位置にある状態が示されている。
【００４４】
図３から図５に示すように、レーベルプリンタ１１はインクジェットプリンタであり、インク供給機構７１として各色(例えばブラック、シアン、マゼンタ、イエロー、ライトシアン、ライトマゼンタの６色)のインクカートリッジ１２が用いられ、これらのインクカートリッジ１２がカートリッジ装着部１４の各カートリッジホルダ１３に前方から装着されている。
【００４５】
また、レーベルプリンタ１１は、メディアのレーベル面へのレーベル印刷可能な位置とメディアの受け取り及び受け渡しを行うメディア受け渡し位置との間を移動可能なメディアトレイ１５を有している。メディアトレイ１５は、矩形の板の上面に、メディアを載せるための円形の浅い凹部１５ａを備えている。また、レーベルプリンタ１１はインクジェットヘッド６１を有するキャリッジ６２を備えており、このキャリッジ６２は、キャリッジガイド軸６３に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００４６】
キャリッジ６２に搭載されているインクジェットヘッド６１は、そのノズル面が下向きとされており、インクジェットヘッド６１の下側位置を、前後方向に水平にメディアトレイ１５が往復移動可能となっている。メディアトレイ１５は、その右側の端が、前後方向に水平に延びるガイド軸６６によって支持され、その左側の端が、スライド可能な状態で、前後方向に水平に延びるガイドレール６７によって支持されている。このメディアトレイ５１の駆動機構も、前後方向に水平に架け渡した図示しないタイミングベルトと、これを駆動するためのトレイモータとを備えた構成となっている。
【００４７】
レーベルプリンタ１１は、インクカートリッジ１２が装着されるカートリッジ装着部１４を有するインク供給機構７１を備えている。このインク供給機構７１は、縦型構造を有しており、メディア処理装置１のベース７２上に立設されて鉛直方向に配設されている。このインク供給機構７１には、可撓性を有するインク供給チューブ７３の一端が接続されており、このインク供給チューブ７３の他端は、キャリッジ６２に接続されている。
【００４８】
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。なお、インク供給機構７１には、その上部に、加圧機構７４が設けられており、この加圧機構７４は、インクカートリッジ１２内を圧縮空気により加圧し、インクカートリッジ１２内のインクパックに貯留しているインクを送り出す。
【００４９】
また、キャリッジ６２のホームポジション(図４に示す位置)における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。そして、このインク吸引機構８１の廃インク吸引ポンプ８３によって吸引された廃インクは、チューブ８４を介して、廃インク吸収タンク８５へ送り込まれる。
【００５０】
メディアをメディアトレイ１５の凹部１５ａに保持し、図示せぬトレイモータを駆動して、メディアトレイ１５をガイド軸６６に沿って後側に移動させ、インクジェットヘッド６１の印刷領域内まで移動させることができる。この後は、インクジェットヘッド６１によって、メディアのレーベル面に所定の印刷を施すことができる。印刷後、メディアトレイ１５はレーベルプリンタ１１の前方側のメディア受け渡し位置に位置することになる。
【００５１】
なお、レーベルプリンタ１１の前方側には、メディア処分機構９２(図６参照)が取り付けられている。このメディア処分機構９２は、プランジャなどの駆動機構によって突起部を突出させることにより、後側あるいは前側に移動するメディアトレイ１５に搭載されたメディアに突起部を接触させ、メディアの記録面を機械的に破壊し、書き込み及び読み出しを不能な状態としてメディア排出口６に排出する。
【００５２】
次に、メディア処理装置１の内部構成について説明する。
図６に示すように、メディア処理装置１は、各部の制御を司る制御部９１を有し、メディア処理装置１内の各部間の動作制御を行う中央制御部となっている。具体的には、メディアドライブ５１、レーベルプリンタ１１、メディア搬送機構３１等の動作を制御する。
【００５３】
メディア処理装置１は、メディア作成のための機能に加えて、作成後に不要となった使用済みメディアＭＣを、データ書き込み、データ読み出し不能な状態に処分するためのメディア処分機構９２を備え、また、このメディア処分機構９２によって処分される使用済みメディアＭＣのレーベル面の印刷画像を読み取るための、例えば、ＣＣＤなどを有するラインセンサからなる画像センサ９３と、読み取られたレーベル面の印刷画像をメディア処分機構９２によるメディア処分履歴９４ａとして記憶するための記憶部９４を備えている。
【００５４】
メディア処分機構９２は、前述したように、レーベルプリンタ１１におけるメディアトレイ１５の動きを利用して、使用済みメディアＭＣの記録面に機械的に傷を付けて、データの読み出し及び書き込みが不能の廃棄用メディアＭＤとするようになっている。レーベル面の印刷画像の読取用の画像センサ９３は、例えば、メディア搬送機構３１に搭載されている。メディア搬送機構３１に把持された使用済みメディアＭＣを回転させ、このメディアＭＣのレーベル面に受光面が対峙する状態で、メディア半径方向に沿って配置されている画像センサ９３によって、レーベル面の全体の印刷画像を読み取るようになっている。この代わりに、メディア搬送機構３１に把持された使用済みメディアＭＣのレーベル面に沿って、その半径方向に配置されている画像センサ９３側を回転させて、レーベル面の全印刷画像を読み取るようにしても良い。
【００５５】
さらに、制御部９１には操作部９５が接続されており、例えば、ケース２前面の前述した操作パネル５に設けることができる。また、制御部９１は、通信用のインターフェース９６を介して、専用通信回線あるいは一般通信回線によって上位機器（ホストコンピュータ）９７と接続されている。通常は、上位機器９７側から制御部９１に供給されるメディア作成指令、メディア処分指令などに基づき、メディア作成動作(データ書き込み動作、レーベル面印刷動作)、メディア処分履歴作成動作(レーベル面印刷画像読取動作)、メディア処分動作などが起動するようになっている。
【００５６】
次に、メディア処理装置１による処理の一例を示す。
まず、ユーザは、ブランクメディアＭＡを第１のスタッカであるブランクメディア保管部２１に供給しておく。そして、上位機器９７からデータ書き込み要求を受けると、メディア搬送機構３１の搬送アーム３６が旋回および上下移動して、ブランクメディア保管部２１からブランクメディアＭＡを取り出し、メディアドライブ５１にセットする。そして、データ書き込み要求とともに供給された書き込みデータをブランクメディアＭＡに書き込む。次に、データを書き込んだメディアをレーベルプリンタ１１にセットして、そのレーベル面に、同じくデータ書き込み要求とともに供給されたレーベル印刷情報を印刷する。印刷終了後に、作成済みメディアＭＢを、第２のスタッカである作成済みメディア保管部２２に収納する。
【００５７】
また、ブランクメディア保管部２１に収容されるメディアの枚数以上のメディアの作成を連続して行う連続作成モードにおいては、必要枚数分のブランクメディアＭＡが、ブランクメディア保管部２１と作成済みメディア保管部２２に分けて収納される。そして、ブランクメディア保管部２１からブランクメディアＭＡを取り出して、データの書き込みと、レーベル印刷を順次に行い、得られた作成済みメディアＭＢを、まず、第３のスタッカである廃棄用スタッカ５２に収納する。廃棄用スタッカ５２が一杯になった後は、第４のスタッカであるメディア排出口６に排出する。そして、ブランクメディア保管部２１が空になったら、作成済みメディア保管部２２ブランクメディアＭＡを供給して、データの書き込みとレーベル印刷を行い、得られた作成済みメディアＭＢを、空になっているブランクメディア保管部２１に収納することができる。
なお、作成済みメディアＭＢをブランクメディア保管部２１や作成済みメディア保管部２２に収容することなく、全ての作成済みメディアＭＢをメディア排出口６に排出するようにしても良い。
【００５８】
次に、スタッカ表示灯及びエラー表示灯の点灯等によって示されるスタッカの状態について具体例を説明する。図７には、スタッカ表示灯Ｌ１〜Ｌ４とエラー表示灯ＬＥとの発光パターンの組み合わせにより、該当スタッカの予め設定されている各種の状態を示している。
すなわち、電源オフの時には電源表示灯ＬＰ等、全ての表示灯は消灯している。また、電源をオンにすると、初期化を開始する。初期化中には、電源表示灯ＬＰが点滅して、メディア処理装置１の初期化を行っていることを示す。そして、初期化が完了すると、電源表示灯ＬＰが点灯に変わって、メディア処理装置１の稼動が可能なことを示し、稼動しているときには、電源表示灯ＬＰに代わってビジー表示灯ＬＢが点滅する。
【００５９】
次に、第１のスタッカであるブランクメディア保管部２１について説明する。
ブランクメディア保管部２１は、前述したように、通常、ユーザがブランクメディアＭＡを供給し、処理にともなってメディア搬送機構３１の搬送アーム３６により一枚ずつ取り出される。したがって、スタッカが正しく装着されていない場合には、エラー表示灯ＬＥが点灯すると同時にスタッカ表示灯Ｌ１が点滅する。スタッカが正しく装着されていない場合としては、取外しや取付け時の操作ミス、振動による装着エラー、初期化時の装着不良等がある。スタッカが正常に装着されたら、表示は解除される。
【００６０】
また、ブランクメディア保管部２１にメディアが一杯である場合で、ユーザがブランクメディアＭＡを供給して一杯になったイニシャライズ時には、正常な状態であるため表示灯は点灯等しない。また、スタッカは装着されているが、収容されているメディアがなくなって空（エンプティ）となった場合には、スタッカ表示灯Ｌ１のみが点滅してメディアの補給を要求する。なお、メディアがフル（規定量）となった場合や、エンプティとなった場合の検出は、搬送アームに設けられた接触式または非接触式のセンサにより収容されているメディアの高さを検出することにより行うことができる。もしくは、ブランクメディア保管部２１にメディアフルセンサが設けられていても良い。高さ計測の際に、メディアの高さが範囲内となった場合には、表示灯の点灯等は解除される。
【００６１】
一方、上述した通常の使用状態ではないが、他のスタッカ（第２のスタッカ等）にブランクメディアを入れて、ブランクメディア保管部２１に処理済のメディアを収容することも可能であるため、動作中にメディア搬送機構３１によってメディアをブランクメディア保管部２１に搬送してメディアが一杯になる場合も考慮している。この場合には、それ以上メディアを搬送すると許容量を超える（メディアフル超）ので、エラー表示灯ＬＥが点灯すると同時にスタッカ表示灯Ｌ１も点灯し、メディアの取出しを要求する。また、ユーザが誤ってメディアを規定量より多く供給（メディアフル超）した場合も、同様にエラー表示灯ＬＥ及びスタッカ表示灯Ｌ１が点灯する。
【００６２】
次に、第２のスタッカである作成済みメディア保管部２２について説明する。
まず、スタッカが装着されていない場合には、ブランクメディア保管部２１の場合と同様に、エラー表示灯ＬＥが点灯すると同時にスタッカ表示灯Ｌ２が点滅する。そして、作成済みメディア保管部２２を、作成済みのメディアＭＢを収容するスタッカとして使用する場合には、作成済みメディア保管部２２に作成済みメディアＭＢ等が規定量収容されている場合には、スタッカ表示灯Ｌ２が点灯してユーザに知らせる。そして、さらにメディアを搬送して収容しようとすると、規定量を超える（メディアフル超）ので、エラー表示灯ＬＥが点灯すると同時にスタッカ表示灯Ｌ２も点灯し、メディアの取出しを要求する。なお、メディアがフル（規定量）となった場合や、エンプティとなった場合の検出は、第１のスタッカであるブランクメディア保管部２１と同様である。
また、制御部９１が、メディアの処理履歴に基づいて、メディア保管部２２に蓄積される処理済みのメディアの蓄積量を監視し、メディア保管部２２におけるメディアフル状態となったと判断した場合でも、スタッカ表示灯Ｌ２が点灯してユーザに知らせる。
一方、作成済みメディア保管部２２にブランクメディアＭＡを収容して、ブランクメディアＭＡを供給する形態で使用する場合には、スタッカ表示灯Ｌ１とＬ２が異なる以外は前述したブランクメディア保管部２１の場合と同様であるので、説明を省略する。
【００６３】
次に、第３のスタッカである廃棄用スタッカ５２について説明する。
スタッカが装着されていない場合には、前述したブランクメディア保管部２１等の場合と同様に、エラー表示灯ＬＥが点灯すると同時にスタッカ表示灯Ｌ３が点滅する。そして、廃棄用スタッカ５２に作成済みメディアＭＢ等が規定量収容されている場合（メディアフル）には、スタッカ表示灯Ｌ３が点灯してユーザに知らせる。制御部９１がメディアの処理履歴に基づいてメディアの蓄積量を監視し、メディアフルと判断したらスタッカ表示灯Ｌ３を点灯させても良い。そして、さらにメディアを搬送して収容しようとすると、規定量を超える（メディアフル超）ので、エラー表示灯ＬＥが点灯すると同時にスタッカ表示灯Ｌ３も点灯し、メディアの取出しを要求する。そして、廃棄用スタッカ５２に対しては、ユーザによるメディアの供給がなされないので、メディアエンプティの場合にユーザに対して表示を行うことはない。
なお、メディアフルとなった場合の検出は、ブランクメディア保管部２１，メディア保管部２２と同様に、センサや制御部９１の監視により行うことができる。
【００６４】
次に、第４のスタッカであるメディア排出口６について説明する。
第４のスタッカであるメディア排出口６については、スタッカが固定であるため、装着ミス等は生じない。また、メディア処理装置１外に排出されたメディアが規定量収容されている場合（メディアフル）には、スタッカ表示灯Ｌ４が点灯してユーザに知らせる。そして、メディア排出口６に対しては、ユーザによるメディアの供給がなされないので、メディアエンプティの場合にユーザに対して表示を行うことはない。
なお、メディアフルとなった場合の検出は、ブランクメディア保管部２１，メディア保管部２２，廃棄用スタッカ５２と同様に、センサや制御部９１の監視により行うことができる。
【００６５】
以上説明したメディア処理装置１によれば、ケース２の前面上部に配置された操作パネル５には、各スタッカの配置を示す模式図５ａが表示されているとともに、模式図５ａに示された各スタッカに対応してスタッカ表示灯Ｌ１〜Ｌ４が設けられているため、各処理に応じて搬送されるメディアが各スタッカで空（メディアエンプティ）になったり規定量まで蓄積（メディアフル）されたりしたとき等に、該当するスタッカに対応したスタッカ表示灯Ｌ１〜Ｌ４を上記のような所定の発光パターンで発光（点灯または点滅）させて、各スタッカの状態を表示することができる。そのため、ユーザは模式図５ａ及び発光したスタッカ表示灯Ｌ１〜Ｌ４によってメディアの補給や取り出し等の対処を行うべきスタッカを容易に視認することができる。そして、発光パターンによりスタッカの状態が表示されるため、各スタッカの各種の状態を、簡易な構成のスタッカ表示灯Ｌ１〜Ｌ４によって表示することができる。したがって、スタッカの状況を表示する手段を低コストで実現でき、表示すべきスタッカとその状態を的確に表示して、ユーザが各スタッカの状況を容易に把握することができる。
【００６６】
また、操作パネル５には、模式図５ａに示された各スタッカに対応して、第１〜第４のスタッカを識別するための番号が表示されているため、第１〜第４のスタッカの模式図５ａの配置だけでなく、スタッカ表示灯Ｌ１〜Ｌ４が点灯した箇所の番号を目視することによっても対処すべきスタッカを識別することができる。
【００６７】
また、操作パネル５には、スタッカ表示灯Ｌ１〜Ｌ４とともに誤作動状態を示すエラー表示灯ＬＥが設けられているため、これらの発光パターンを組み合わせてメディアフルやメディアフル超、スタッカの装着エラー等、各種の状態を簡易な構成で容易に表示することができる。
【００６８】
また、制御部９１が、メディアの処理履歴に基づいて、処理済みのメディアを蓄積するスタッカのメディア蓄積量を監視し、メディアフル状態となったと判断したら、対応するスタッカ表示灯Ｌ１〜Ｌ４を発光させるため、メディア蓄積量をセンサで直接測定しなくてもメディアフル状態を検出してユーザに知らせることができる。
【００６９】
なお、上記実施形態においては、スタッカを４個設けた場合について説明したが、スタッカの数は限定するものではない。３個以下でも、５個以上でも適用可能である。
また、エラー表示灯ＬＥを点灯させる場合には、メディア処理装置１の少なくともメディア搬送機構３１を停止させるのが望ましい。これにより、誤作動で装置が破損したり、メディアが破損したりするのを防止することができる。
さらに、図７で示したスタッカ表示灯Ｌ１〜Ｌ４とエラー表示灯ＬＥとの発光パターンの組み合わせは一例であり、スタッカの数や、処理内容に応じて種々に変更することができる。
【００７０】
また、スタッカ表示灯Ｌ１〜Ｌ４とエラー表示灯ＬＥとの発光パターンは、スタッカの位置や状況に応じて発光色を変更させることもできる。また、発光パターンだけでなく、ブザーと併用しても良い。これらの場合、比較的離れた位置でもメディアフルやエンプティなどの状況を知ることができる。
【００７１】
なお、図７に示したような発光パターンをユーザが覚えていなくても、点灯した位置のスタッカをユーザが確認することにより、メディアフルやメディアエンプティの状況は一目で解るため、特に不都合は生じない。すなわち、ユーザに何らかの処置を促す必要が生じたときに、該当するスタッカへの注意を喚起することが重要であり、本実施形態のようにスタッカの配置を表示した配置画像を用いて、この画像の各スタッカに対応した発光部を発光させることで、該当するスタッカを的確にユーザに知らせることができればよい。
【図面の簡単な説明】
【００７２】
【図１】本発明に係るメディア処理装置の実施の形態の一例を示す外観斜視図である。
【図２】操作パネルの拡大図である。
【図３】メディア処理装置のケースを外した状態の前方側の斜視図である。
【図４】メディア処理装置のケースを外した状態の後方側の斜視図である。
【図５】メディア処理装置に設置されたレーベルプリンタ部分の斜視図である。
【図６】メディア処理装置の内部概略構成図である。
【図７】発光部の表示とスタッカの状態との関係の一例を示す表である。
【符号の説明】
【００７３】
１…メディア処理装置、５…操作パネル、５ａ…模式図（配置画像）、６…メディア排出口（メディア保管部）、１１…レーベルプリンタ、１２…インクカートリッジ、１３…カートリッジホルダ、２１…ブランクメディア保管部（メディア保管部）、２２…作成済みメディア保管部（メディア保管部）、３１…メディア搬送機構、３６…搬送アーム、５３…メディアドライブ、５２…廃棄用スタッカ（メディア保管部）、７１…インク供給機構、６１…インクジェットヘッド、Ｌ１，Ｌ２，Ｌ３，Ｌ４…スタッカ表示灯（保管部表示用発光部）、ＬＥ…エラー表示灯（エラー表示用発光部）。
【図１】
2008103032.tif 000003
【図２】
2008103032.tif 000004
【図３】
2008103032.tif 000005
【図４】
2008103032.tif 000006
【図５】
2008103032.tif 000007
【図６】
2008103032.tif 000008
【図７】
2008103032.tif 000009